(57)【要約】　　　（修正有）【課題】寝たきりの患者をベットから車椅子に乗り換えるとき患者に負担を掛けないように水平状態で乗り移らせて、車イス状態にするときは座席下の昇降機の持ち上げ高さを変えることによって任意のリクライニング車椅子になり患者の移動を症状に応じて安全に行えることを目的としている。【解決手段】寝たきりの患者をベットから車椅子に乗り換えるとき車椅子の座席の下に昇降機１を取付け座席を持ち上げ車椅子をベット状にし水平状態で乗り移らせて、車イス状態にするときは座席下の昇降機を元の位置に降下させる。昇降機の持ち上げ高さを変えることによって任意のリクライニング車椅子になり患者の移動を症状に応じて安全に行える。【選択図】　　図１
2004089666.tif 000002
【特許請求の範囲】
【請求項１】
図１のように車椅子の座席の下に昇降機１を取付、半円形又は半楕円形のアーム１６を組み込み、昇降機１により座席が押し上げられるとき背もたれ支持シャフト１２を支点として背もたれが水平に倒れると共にアーム１６によって車椅子の下肢部が水平に持ち上げられ全体がベットになる、又座席の持ち上げ高さを変えることによって任意のリクライニングなる車椅子。
【発明の詳細な説明】
【０００１】
【発明の属する技術分野】
この発明は寝たきり患者の車イスに関する。
【０００２】
【従来の技術】
従来の車イスとしては、車椅子とベットは別々のものであった。
【０００３】
【発明が解決しようとする課題】
この発明は、従来の吊り上げリフトを使った車椅子への乗り換えのように寝たきりの患者をベットから車椅子に乗り移すとき患者に腹部圧迫などの負担を掛けていた。寝たきりの患者をベットから車椅子に乗り換えるとき患者に負担を掛けないように車椅子をベットの高さで水平にし水平状態で乗り移らせて、車イス状態にするときは座席下の昇降機の持ち上げ高さを変えることによって任意のリクライニング車椅子になり、患者の移動を症状に応じて安全に行えることを目的としている。
【０００４】
【課題を解決するための手段】
この発明を図面に基づいて説明すると、図１に示すように車椅子の座席の下に昇降機１のローラー２が座席下のレール９に収まるように取付、半円形又は半楕円形のアーム１６をアーム支持シャフト１３に自由に回転出来るように取り付けアーム１６のローラー６は車椅子の下肢部のレール７に収まるように取り付ける。車椅子の背もたれは背もたれ支持シャフト１２を支点に水平又は垂直になるように動くように取り付ける。
車椅子の背もたれ、座席、下肢部はそれぞれ図３のような水平以上におり曲がらないようにストッパー２４を取り付けた蝶番５，８，１１を取付け昇降機１により座席が押し上げられるとき背もたれ支持シャフト１２を支点として背もたれが水平に倒れると共にアーム１６によって車椅子の下肢部が水平に持ち上げられ全体が水平状のベットになるようにアーム１６を固定するストッパー１５を取り付ける
【０００５】
【発明の実施の形態】
以上のように構成された、車イスで実際に車イス状態からベット及びリクライニングになるまでのシステムを説明する。
図１は昇降機１に油圧ジャッキを使用した例で通常は図１のように車椅子の状態にあり、ハンドル３をオイルギャーポンプハンドル穴２０に差し込んでオイルギャーポンプを回転させて座席を水平になるまで持ち上げる事で背もたれが背もたれ支持シャフト１２を支点として水平になりアーム１６によって下肢部も押し上げられて全体が水平のベット状になる。
水平のベット状からリクライニングににするにはハンドル１４のレバーでオイル戻し弁操作ワイヤー１９を引くことで油圧ジャッキのオイルが荷重により自然に戻り座席が下がってリクライニングになる。
オイルの戻す量によって任意の角度を持ったリクライニングになりオイルを全て戻すと元の車椅子の状態になる。
【０００６】
【実施例】
図１は、油圧式昇降機を取り付けたベット及びリクライニングになる車イスの側面図である。
車椅子の座席の下に昇降機１のローラー２が座席下のレール９に収まるように取付、半円形又は半楕円形のアーム１６をアーム支持シャフト１３に自由に回転出来るように取り付けアーム１６のローラー６は車椅子の下肢部のレール７に収まるように取り付ける。
車椅子の背もたれは背もたれ支持シャフト１２を支点に水平又は垂直になるように取り付ける。
車椅子の背もたれ、座席、下肢部はそれぞれ図３のような水平以上におり曲がらないようにストッパー２４を取り付けた蝶番５，８，１１を組み込み昇降機１により座席が押し上げられるとき背もたれ支持シャフト１２を支点として背もたれが水平に倒れると共にアーム１６によって車椅子の下肢部が水平に持ち上げられ全体が水平状のベットになるようにアーム１６を固定するストッパー１５を取り付ける
昇降機の動作は油圧式昇降機１のオイルギャーポンプハンドル穴２０にハンドル３を差し込んでオイルギャーポンプを回転させて座席を水平になるまで持ち上げる、又、座席を降下させるにはハンドル１４のレバーでオイル戻し弁操作ワイヤー１９を引いて油圧ジャッキのオイルを荷重により自然にオイルが戻り座席を降下させる。
ワイヤー２０は乗り移るとき車椅子が前後に移動しないように車輪を固定するブレーキワイヤーである。
図２はベット状態になったときの側面図である。
図３は座席シートの折り曲げ蝶番側面図である。
図４は昇降機１にネジ式昇降機を取り付けたベット及びリクライニングになる車イスの側面図である。
油圧式昇降機の場合と違って座席を降下させにはハンドル３でネジ式昇降機を回転させて高さを調節する。
【０００７】
【発明の効果】
この発明は、以上説明したように寝たきりの患者をベットから車椅子に乗り換えるとき患者に負担を掛けないように水平状態で乗り移らせて、車イス状態にするときは座席下の昇降機の持ち上げ高さを変えることによって任意のリクライニング車椅子になり患者の移動を症状に応じて安全に行う事が出来る。
その他、図４のように昇降機１にネジ式昇降機を取り付けたベット及びリクライニングになる車イスの側面図である。
油圧式昇降機の場合と違って座席を降下させにはハンドル３でネジ式昇降機を回転させて高さを調節する。
【図面の簡単な説明】
【図１】油圧式昇降機を取り付けたベット及びリクライニングになる車イスの側面図である。
【図２】ベット状態になったときの側面図である。
【図３】座席シートの折り曲げ蝶番側面図である。
【図４】昇降機１にネジ式昇降機を取り付けた、ベット及びリクライニングになる車イスの側面図である。
【符号の説明】
１．昇降機
２．ローラー
３．ハンドル
４．前輪
５．蝶番
６．ローラー
７．レール
８．蝶番
９．レール
１０．肘掛
１１．蝶番
１２．背もたれ支持シャフト
１３．アーム支持シャフト
１４．ハンドル
１５．アームストッパー
１６．アーム
１７．ブレーキワイヤー
１８．後輪
１９．オイル戻し弁操作ワイヤー
２０．オイルギャーポンプハンドル穴
２１．マット
２２．ネジ式ジャッキ
２３．ローラー
２４．ストッパー
【図１】
2004089666.tif 000003
【図２】
2004089666.tif 000004
【図３】
2004089666.tif 000005
【図４】
2004089666.tif 000006
【手続補正書】
【提出日】平成15年6月25日(2003.6.25)
【手続補正１】
【補正対象書類名】明細書
【補正対象項目名】全文
【補正方法】変更
【補正の内容】
【発明の詳細な説明】
【特許請求の範囲】
【請求項１】図１のように車椅子の座席の下に昇降機１を取付、半円形、半楕円形又は多角形のアーム１５を組み込み、昇降機１により座席が押し上げられるとき、背もたれ支持シャフト１１を支点として背もたれが水平に倒れると共にアーム１５によって車椅子の下肢部が水平に持ち上げられ全体がベットになる、又座席の持ち上げ高さを変えることによって任意のリクライニングなる車椅子。
【発明の詳細な説明】
【０００１】
【発明の属する技術分野】
この発明は寝たきり患者の車イスに関する。
【０００２】
【従来の技術】
従来の車イスとしては、車椅子とベットは別々のものであった。
【０００３】
【発明が解決しようとする課題】
この発明は、従来の吊り上げリフトを使った車椅子への乗り換えのように寝たきりの患者をベットから車椅子に乗り移すとき患者に腹部圧迫などの負担を掛けていた。寝たきりの患者をベットから車椅子に乗り換えるとき患者に負担を掛けないように車椅子をベットの高さで水平にし水平状態で乗り移らせて、車イス状態にするときは座席下の昇降機の持ち上げ高さを変えることによって任意のリクライニング車椅子になり、患者の移動を症状に応じて安全に行えることを目的としている。
【０００４】
【課題を解決するための手段】
この発明を図面に基づいて説明すると、図１に示すように車椅子の座席の下に昇降機１を固定して取り付け、半円形及び半楕円形又は多角形のアーム１５をアーム支持シャフト１２に自由に回転出来るように取り付けアーム１５のローラー５は車椅子の下肢部のレール６に収まるように取り付ける。
車椅子の背もたれは背もたれ支持シャフト１１を支点に水平又は垂直になるように動くように取り付ける。
車椅子の背もたれ、座席、下肢部はそれぞれ図３のような水平以上におり曲がらないようにストッパー２５を取り付けた蝶番４，７，１０を取付け昇降機１により座席が押し上げられるとき背もたれ支持シャフト１１を支点として背もたれが水平に倒れると共にアーム１５によって車椅子の下肢部が水平に持ち上げられ全体が水平状のベットになるようにアーム１５を固定するストッパー１４を取り付ける
【０００５】
【発明の実施の形態】
以上のように構成された、車イスで実際に車イス状態からベット及びリクライニングになるまでのシステムを説明する。
昇降機としては油圧式又はネジ式ギャージャッキ等があるが、図１は昇降機１にネジ式ギャージャッキを使用した例で通常は図１のように車椅子の状態にあり、ハンドル２をハンドル穴に差し込んでギャーを回転させて座席を水平になるまで持ち上げる事で背もたれが背もたれ支持シャフト１１を支点として水平になりアーム１５によって下肢部も押し上げられて全体が水平のベット状になる。
水平のベット状からリクライニングにするにはハンドル２でギャーを逆回転させることで座席が下がってリクライニングになる。
座席の高さを調整することによって任意の角度を持ったリクライニングになり座席を完全に下げることによって元の車椅子の状態になる。
【０００６】
【実施例】
図１は、昇降機を取り付けたベット及びリクライニングになる車イスの側面図である。車椅子の座席の下に昇降機１を固定して取付、半円形及び半楕円形又は多角形ののアーム１５をアーム支持シャフト１２に自由に回転出来るように取り付けアーム１５のローラー５は車椅子の下肢部のレール６に収まるように取り付ける。
車椅子の背もたれは背もたれ支持シャフト１１を支点に水平又は垂直になるように取り付け、車椅子の背もたれ、座席、下肢部はそれぞれ図５のような水平以上におり曲がらないようにストッパー２５を取り付けた蝶番４，７，１０を組み込み昇降機１により座席が押し上げられるとき背もたれ支持シャフト１１を支点として背もたれが水平に倒れると共にアーム１５によって車椅子の下肢部が水平に持ち上げられ、全体が水平状のベットになるようにアーム１５を固定するストッパー１４を取り付ける。
昇降機の動作はハンドル２でギャーを回転させ座席を任意の高さに調整し、脱落防止の為パイプレール８を設けた肘掛け９を取り付け乗り移り側と反対の肘掛けを引き延ばし脱落を防止する。
図２はベット状態になったときの側面図である。
図３はアーム１５の代わりにシャフト２１とフック２２を蝶番２３と２４で連結した車椅子の側面図である、シャフト７を支点として下肢部を持ち上げるフック２２を取り付け座席を持ち上げることによってフック２２を押し下げ下肢部を水平に持ち上げる。
図４はアーム１５の代わりにシャフト２１とフック２２を蝶番２３と２４で連結した車椅子がベット状になったときの側面図である。
図５は座席シートの折り曲げ蝶番側面図である。
【０００７】
【発明の効果】
この発明は、以上説明したように寝たきりの患者をベットから車椅子に乗り換えるとき患者に負担を掛けないように水平状態で乗り移らせて、車イス状態にするときは座席下の昇降機の持ち上げ高さを変えることによって任意のリクライニング車椅子になり患者の移動を症状に応じて安全に行う事が出来る。
【図面の簡単な説明】
【図１】昇降機１としてネジ式ギャージャッキを取り付け、アーム１５によってベット及びリクライニングになる車イスの側面図である。
【図２】昇降機１とアーム１５によってベット状態になったときの側面図である。
【図３】アーム１５の代わりにシャフト２１とフック２２を蝶番２３と２４で連結した車椅子の側面図である。
【図４】アーム１５の代わりにシャフト２１とフック２２を蝶番２３と２４で連結した車椅子がベット状になったときの側面図である。
【図５】座席シートのストッパー付き蝶番側面図である。
【符号の説明】
１．昇降機
２．ハンドル
３．前輪
４．蝶番
５．ローラー
６．レール
７．蝶番
８．パイプレール
９．肘掛け
１０．蝶番
１１．背もたれ支持シャフト
１２．アーム支持シャフト
１３．ハンドル
１４．アームストッパー
１５．アーム
１６．後輪シャフト
１７．後輪
１８．パイプ（レール）
１９．シャフト（レール）
２０．マット
２１．シャフト
２２．フック
２３．蝶番
２４．蝶番
２５．ストッパー付き蝶番
【手続補正２】
【補正対象書類名】図面
【補正対象項目名】全図
【補正方法】変更
【補正の内容】
【図１】
2004089666.tif 000007
【図２】
2004089666.tif 000008
【図３】
2004089666.tif 000009
【図４】
2004089666.tif 000010
【図５】
2004089666.tif 000011